(57)【要約】【課題】一般的にディスクを再生するには、ディスクに記録されているパステーブルやディレクトリテーブルなどの記録位置テーブルをすべて取得して解析する必要がある。しかし、再生動作手順などの情報をメニューにより管理するディスクの再生においては、メニューから再生曲を選択する際に、パステーブル、ディレクトリテーブルをすべて取得した後、その中からメニューデータ記録位置テーブルを検索し、メニューデータを取得してメニュー表示をおこなうため、すべてのディレクトリテーブルを取得するまではメニューを表示しない。このため、起動からメニュー表示までに時間を要するという課題を有していた。【解決手段】メニューデータ記録位置情報を読み取ったら、記録位置テーブルをすべて取得し終える前に、前記メニューデータ記録位置情報の解析をおこない、続いて前記メニューデータを読み取ってメニュー表示をおこなうことを特徴とするものである。【選択図】図１
2009054259.tif 000002
【特許請求の範囲】
【請求項１】
少なくとも１つ以上の再生データと、前記再生データの再生順序を記述した少なくとも１つ以上のメニューデータと、前記再生データの記録位置情報を記述した再生データ記録位置情報および前記メニューデータの記録位置を記述したメニューデータ記録位置情報からなる記録位置テーブルが記録されたディスク媒体から、前記再生データ、前記メニューデータ、前記記録位置テーブルを読み取るための読み取り部と、前記記録位置テーブルを取得する記録位置テーブル取得部と、前記メニューデータを取得するメニューデータ取得部と、前記メニューデータを解析してメニューを作成するメニューデータ解析部と、前記メニューを表示する表示出力部と、前記再生データを取得する再生データ取得部と、前記再生データ取得部により取得した再生データを出力する再生データ出力部と、前記記録位置テーブル取得部、メニューデータ取得部および再生データ取得部の取得要求を前記読み取り部に伝えるシステム制御部とを備え、
前記メニューデータ記録位置情報を読み取ったら、前記記録位置テーブルをすべて取得し終える前に、前記メニューデータ記録位置情報の解析をおこない、続いて前記メニューデータを読み取ってメニュー表示をおこなうことを特徴とするディスク再生装置。
【請求項２】
前記メニューデータ記録位置情報が前記記録位置テーブルの先頭付近に記録されていることを特徴とする請求項１記載のディスク再生装置。
【請求項３】
前記メニューデータが前記メニューデータ記録位置情報の近傍に記録されていることを特徴とする請求項１記載のディスク再生装置。
【発明の詳細な説明】
【技術分野】
【０００１】
本発明は、ディスク媒体から再生データを読み取るディスク再生装置に関するものである。
【背景技術】
【０００２】
近年、ＰＣ上のデジタルコンテンツをＡＶ機器で簡便に保管、再生、検索することを目的とした新たなファイル構成の開発が進められている。ユーザーが再生動作手順など独自の情報を作成し、ディスク上でメニューとして管理する手法などはその一例と言える。例えば、光ディスクを用いた記録媒体再生装置において、メニューなどの再生動作で必要とされる情報をメモリに記憶しておくことにより、情報を読み出すための光ヘッドを所定のトラック位置まで移動させることなく良好な操作性を実現できることが示されている。
【特許文献１】特開平９−３０６０８５号公報
【発明の開示】
【発明が解決しようとする課題】
【０００３】
近年、圧縮オーディオをはじめ多種多様なソースで構成されたディスクを容易に作成することが可能になってきた。書き込み方法も多様化し、ユーザーが独自の方法によって様々なファイル構成のディスクを作成できるようになった。一般的にディスクに記録されたデータにアクセスするには、ディスクに記録されているパステーブルやディレクトリテーブルなどのデータ記録位置テーブルをすべて取得して解析する必要がある。しかし、例えば再生動作手順などの情報をメニューにより管理するディスクの再生においては、メニューから再生曲を選択する際に、パステーブル、ディレクトリテーブルをすべて取得した後、その中からメニューデータ記録位置テーブルを検索し、メニューデータを取得してメニュー表示をおこなうため、すべてのディレクトリテーブルを取得するまではメニューを表示しない。このため、起動からメニュー表示までに時間を要するという課題があった。
【０００４】
本発明は、メニュー表示の時間を短縮したディスク再生装置を提供することを目的としてなされたものである。
【課題を解決するための手段】
【０００５】
本発明の請求項１に記載の発明は、少なくとも１つ以上の再生データと、前記再生データの再生順序を記述した少なくとも１つ以上のメニューデータと、前記再生データの記録位置情報を記述した再生データ記録位置情報および前記メニューデータの記録位置を記述したメニューデータ記録位置情報からなる記録位置テーブルが記録されたディスク媒体から、前記再生データ、前記メニューデータ、前記記録位置テーブルを読み取るための読み取り部と、前記記録位置テーブルを取得する記録位置テーブル取得部と、前記メニューデータを取得するメニューデータ取得部と、前記メニューデータを解析してメニューを作成するメニューデータ解析部と、前記メニューを表示する表示出力部と、前記再生データを取得する再生データ取得部と、前記再生データ取得部により取得した再生データを出力する再生データ出力部と、前記記録位置テーブル取得部、メニューデータ取得部および再生データ取得部の取得要求を前記読み取り部に伝えるシステム制御部を有し、前記メニューデータ記録位置情報を読み取ったら、前記記録位置テーブルをすべて取得し終える前に、前記メニューデータ記録位置情報の解析をおこない、続いて前記メニューデータを読み取ってメニュー表示をおこなうことを特徴とするものである。
【０００６】
請求項２に記載の発明は、前記メニューデータ記録位置情報が前記記録位置テーブルの先頭付近に記録されていることを特徴とするものである。
【０００７】
請求項３に記載の発明は、前記メニューデータが前記メニューデータ記録位置情報の近傍に記録されていることを特徴とするものである。
【発明の効果】
【０００８】
ディスク媒体において、メニューデータ記録位置情報を読み取って、続いてメニューデータを取得したら直ちにメニュー表示をおこなうことにより、起動してからメニュー表示までの時間を短縮することが可能であり、ユーザーはディスク媒体に記録されたすべての記録位置テーブルの取得および解析が終了するまで待つことなくメニューを選択することが可能となる。
【発明を実施するための最良の形態】
【０００９】
本発明は、メニューデータ記録位置を記述したディレクトリテーブルを取得したら直ちにメニューデータを取得してメニュー表示をおこなうディスク再生装置を提供することにより、起動してからメニュー表示までの時間の短縮を目的とするものである。また、メニューデータ記録位置を記述したディレクトリテーブルが全ディレクトリテーブルの先頭付近に記録されたディスク再生装置や、あるいはメニューデータ記録位置を記述したディレクトリテーブルの近傍にメニューデータが記録されたディスク再生装置を提供することによりメニューデータの取得、表示を更に早めることを目的とするものである。
【００１０】
以下、本発明のディスク再生装置の構成の一実施形態を図面に基づいて説明する。
【００１１】
（実施の形態１）
図１は、実施の形態１におけるディスク再生装置の一例を示すブロック図である。図１において、１０２は記録媒体であるディスク、１０３は再生データを読み取るためのピックアップ、１０５はディレクトリテーブルを取得するディレクトリテーブル取得部、１０６はメニューデータを取得するメニューデータ取得部、１０７はメニューデータからメニュー作成をおこなうメニューデータ解析部、１０８はメニューデータを外部機器に表示させるメニューデータ表示部、１０９は再生データを取得する再生データ取得部、１１０は再生データを外部機器に出力する再生データ出力部、１０４はディレクトリテーブル取得部、メニューデータ取得部および再生データ取得部からの取得要求をピックアップ１０３に伝達するためのシステム制御部、１０１は以上のブロックにより構成されたディスク再生装置である。
【００１２】
図４は、実施の形態１におけるディスク再生装置の一例を示すフローチャートである。
【００１３】
図７は、ディスク１０２に記録されたデータブロックの構成の一例である。７０１はリードイン、７０２はディスクの基本情報を記述したボリューム記述子、７０３はディレクトリ検索を高速化するためにディレクトリテーブルの名前や位置などを記述したパステーブル、７０４は後述するメニューデータ記録位置テーブル７０５及び再生データ記録位置テーブル７０６からなるディレクトリテーブル、７０５はメニューデータ記録位置を記録するメニューデータ記録位置テーブル、７０６は再生データ記録位置を記録する再生データ記録位置テーブル、７０７はメニューデータ、７０８は再生データ、７０９はリードアウトである。また、再生データ記録位置テーブル７０６に関しては、個々のブロック毎に１）から７）まで番号を付ける。
【００１４】
図１、図４、図７を用いて動作を説明する。
【００１５】
まず、ピックアップ１０３によってディスク１０２のボリューム記述子７０２、パステーブル７０３を取得する（Ｆ４０１）。続いて、ディレクトリテーブル取得部１０５はシステム制御部１０４に対してディレクトリテーブル７０４取得の要求をおこない、ピックアップ１０３はディスク１０２からディレクトリテーブル７０４の取得をおこなう（Ｆ４０２）。ディレクトリテーブル取得部１０５は取得されたディレクトリテーブルがメニューデータ記録位置テーブル７０５か再生データ記録位置テーブル７０６かどうかの判断をおこなう。
【００１６】
メニューデータ記録位置テーブル７０５が検索された場合は、ディレクトリテーブル取得部１０５はメニューデータ記録位置テーブル７０５の解析をおこなう（Ｆ４０３→Ｆ４０５）。続いて、ディレクトリテーブル取得部１０５はメニューデータ取得部１０６に対してメニューデータ７０７取得を要求し、ピックアップ１０３はディスク１０２からメニューデータ７０７を取得する（Ｆ４０６）。その後、ディレクトリテーブル取得部１０５に取得されたメニューデータ記録位置テーブル７０５、メニューデータ取得部１０６に取得されたメニューデータ７０７は、メニューデータ解析部１０７で解析がおこなわれメニューが作成され（Ｆ４０７）、解析を終了した時点で表示出力部１０８はメニュー表示をおこなう（Ｆ４０９）。
【００１７】
一方、再生データ記録位置テーブル７０６が検出された場合は、ディレクトリテーブル取得部１０５は再生データ記録位置テーブル７０６の解析をおこなう（Ｆ４０３→Ｆ４０４）。ディスク１０２上にまだ解析していないディレクトリテーブルがあれば、再度ピックアップ１０３はディレクトリテーブルを検索する（Ｆ４０９→Ｆ４０２）。こうしてすべてのディレクトリテーブル７０４の解析が終了したら、ディスク１０２の解析を終了する（Ｆ４１０）。後は、外部キーによってメニューを決定すれば（Ｆ４１１）、再生データ取得部１０９はシステム制御部１０４に再生データ７０８取得を要求し、ピックアップ１０３はディスク１０２から再生データ７０８を取得する（Ｆ４１２）。取得された再生データ７０８は再生データ出力部１１０により音声・映像データとして出力される（Ｆ４１３）。
【００１８】
以上より、ディスク１０２の解析が終了していなくても、メニューデータ記録位置テーブル７０５を検出すれば、メニューデータ７０７の取得、解析がおこなわれ直ちにメニュー表示をおこなうので、起動してからメニュー表示までの時間が短縮され、ユーザーはメニューを選択することが可能となる。
【００１９】
（実施の形態２）
図２は、実施の形態２におけるディスク再生装置の一例を示すブロック図である。図２において、２０２は記録媒体であるディスク、１０３は再生データを読み取るためのピックアップ、２０４はディレクトリテーブルを取得するディレクトリテーブル取得部、２０５はメニューデータを取得するメニューデータ取得部、１０７はメニューデータからメニュー作成をおこなうメニューデータ解析部、１０８はメニューデータを外部機器に表示させるメニューデータ表示部、１０９は再生データを取得する再生データ取得部、１１０は再生データを外部機器に出力する再生データ出力部、２０３はディレクトリテーブル取得部、メニューデータ取得部および再生データ取得部からの取得要求をピックアップ１０３に伝達するためのシステム制御部、２０６は読み取ったディレクトリテーブルを一時的に蓄積しておくためのＲＡＭ（ここでＲＡＭは１回の読み取りでディレクトリテーブルを蓄積するのに十分な容量を確保できるものとし、図中では８ＫＢとしている。）、２０１は以上のブロックにより構成されたディスク再生装置である。
【００２０】
図５は、実施の形態２におけるディスク再生装置の一例を示すフローチャートである。
【００２１】
図８は、実施の形態２におけるディスク再生装置により再生できるディスクで、メニューデータ記録位置テーブルがディレクトリテーブルの先頭付近に記録されたディスクのフォーマット構成および、ピックアップの移動量の一例を示す図である。８０１はリードイン、８０２はディスクの基本情報を記述したボリューム記述子、８０３はディレクトリ検索を高速化するためにディレクトリテーブルの名前や位置などを記述したパステーブル、８０４は後述するメニューデータ記録位置テーブル８０５及び再生データ記録位置テーブル８０６からなるディレクトリテーブル、８０５はメニューデータ記録位置を記録するメニューデータ記録位置テーブル、８０６は再生データ記録位置を記録する再生データ記録位置テーブル、８０７はメニューデータ、８０８は再生データ、８０９はリードアウト、８１０はピックアップである。また、８０６再生データ記録位置テーブルに関しては、個々のテーブル毎に１）から７）まで番号を付ける。
【００２２】
図２、図５、図８を用いて動作を説明する。
【００２３】
まず、ピックアップ１０３によってディスク２０２のボリューム記述子８０２、パステーブル８０３を取得する（Ｆ５０１）。続いて、ディレクトリテーブル取得部２０４はシステム制御部２０３に対してディレクトリテーブル８０４取得の要求をおこない、ピックアップ１０３はディスク２０２からディレクトリテーブル８０４をＲＡＭ２０６に取得する（Ｆ５０２）。ディレクトリテーブル取得部２０４はＲＡＭ２０６に取得されたディレクトリテーブルがメニューデータ記録位置テーブル８０５か再生データ記録位置テーブル８０６かどうかの判断をおこなう。
【００２４】
メニューデータ記録位置テーブル８０５が検索された場合は、ディレクトリテーブル取得部２０５はメニューデータ記録位置テーブル８０５の解析をおこなう（Ｆ５０５）。続いて、ディレクトリテーブル取得部２０４はメニューデータ取得部２０５に対してメニューデータ８０７取得を要求し、ピックアップ１０３はディスク２０２からメニューデータ８０７を取得する（Ｆ５０６）。その後、ディレクトリテーブル取得部２０４に取得されたメニューデータ記録位置テーブル８０５、メニューデータ取得部２０５に取得されたメニューデータ８０７は、メニューデータ解析部１０７で解析がおこなわれメニューが作成され（Ｆ５０７）、解析を終了した時点で表示出力部２０８はメニュー表示をおこなう（Ｆ５０８）。
【００２５】
一方、再生データ記録位置テーブル８０６を取得した場合は、ディレクトリテーブル取得部２０４は再生データ記録位置テーブル８０６の解析をおこなう（Ｆ５０４）。こうして、ＲＡＭ２０６に取得されたすべてのディレクトリテーブルの解析をおこなう。ディスク２０２上にまだ取得していないディレクトリテーブルがあれば、再度ピックアップ１０３はディレクトリテーブルをＲＡＭ２０６に取得する（Ｆ５１０→Ｆ５０２）。すべてのディレクトリテーブル８０４の解析が終了したら、ディスク２０２の解析を終了する（Ｆ５１１）。後は、外部キーによってメニューを決定すれば（Ｆ５１２）、再生データ取得部１０９はシステム制御部２０３に再生データ８０８取得を要求し、ピックアップ１０３はディスク２０２から再生データ８０８を取得する（Ｆ５１３）。取得された再生データ８０８は再生データ出力部１１０により音声・映像データとして出力される（Ｆ５１３）。
【００２６】
上記内容を図８を用いて更に詳細に説明する。個々のディレクトリテーブル４個を１回分の読み込みでＲＡＭ２０６に取得できるとすると、ピックアップ８１０は１回目の読み込みでＡ点からＢ点までの移動してメニューデータ記録位置テーブル８０５、再生データ記録位置テーブル８０６の１）、２）、３）を取得し、２回目の読み込みでＢ点からＣ点まで移動して再生データ記録位置テーブル４）、５）、６）、７）を取得する。メニューデータ記録位置テーブル８０５がディレクトリテーブル８０４の後半に記録されている場合、メニューデータ記録位置テーブル８０５は２回目の読み込みで取得されることになるため、このＢ点からＣ点までのピックアップ移動分だけメニュー表示が遅れることとなる。そのため、メニューデータ記録位置テーブル８０５がディレクトリテーブルの先頭付近に記録されていれば、より早くメニューデータ記録位置テーブル８０５の取得、解析ができ、より早くメニュー表示をおこなうことが可能であり、起動からメニュー表示までの時間を更に短縮できる。
【００２７】
以上より、実施の形態１と同様に、ディスク２０２の解析が終了していなくても、メニューデータ記録位置テーブル８０５を検出すれば、メニューデータ８０７の取得、解析がおこなわれ直ちにメニュー表示をおこなうので、起動してからメニュー表示までの時間が短縮され、ユーザーはメニューを選択することが可能となる。
【００２８】
（実施の形態３）
図３は、実施の形態３におけるディスク再生装置の一例を示すブロック図である。図３において、３０２は記録媒体であるディスク、１０３は再生データを読み取るためのピックアップ、２０３はディレクトリテーブルを取得するディレクトリテーブル取得部、３０３はメニューデータを取得するメニューデータ取得部、１０７はメニューデータからメニュー作成をおこなうメニューデータ解析部、１０８はメニューデータを外部機器に表示させるメニューデータ表示部、１０９は再生データを取得する再生データ取得部、１１０は再生データを外部機器に出力する再生データ出力部、２０３はディレクトリテーブル取得部、メニューデータ取得部および再生データ取得部からの取得要求をピックアップ１０３に伝達するためのシステム制御部、３０４は読み取ったディレクトリテーブルを一時的に蓄積しておくためのＲＡＭ（ここでＲＡＭは１回の読み取りでディレクトリテーブルおよびメニューデータを蓄積するのに十分な容量を確保できるものとし、図中では８ＫＢとしている。）、３０１は以上のブロックにより構成されたディスク再生装置である。
【００２９】
図６は、実施の形態３におけるディスク再生装置の一例を示すフローチャートである。
【００３０】
図９は、実施の形態３におけるディスク再生装置により再生できるディスクで、メニューデータがメニューデータ記録位置テーブルの近傍に記録されたディスクのフォーマット構成および、ピックアップの移動量の一例を示す図である。９０１はリードイン、９０２はディスクの基本情報を記述したボリューム記述子、９０３はディレクトリ検索を高速化するためにディレクトリテーブルの名前や位置などを記述したパステーブル、９０４は後述するメニューデータ記録位置テーブル９０５及び再生データ記録位置テーブル９０６からなるディレクトリテーブル、９０５はメニューデータ記録位置を記録するメニューデータ記録位置テーブル、９０６は再生データ記録位置を記録する再生データ記録位置テーブル、９０７はメニューデータ、９０８は再生データ、９０９はリードアウト、９１０はピックアップである。また、９０６再生データ記録位置テーブルに関しては、個々のテーブル毎に１）から７）まで番号を付ける。
【００３１】
図３、図６、図９を用いて動作を説明する。
まず、ピックアップ１０３によってディスク３０２のボリューム記述子９０２、パステーブル９０３を取得する（Ｆ６０１）。続いて、ディレクトリテーブル取得部２０３はシステム制御部２０３に対してディレクトリテーブル９０４取得の要求をおこない、ピックアップ１０３はディスク３０２からディレクトリテーブル９０４をＲＡＭ３０４に取得する（Ｆ６０２）。ディレクトリテーブル取得部２０３はＲＡＭ３０４に取得されたディレクトリテーブルがメニューデータ記録位置テーブル９０５か再生データ記録位置テーブル９０６かどうかの判断をおこなう。
【００３２】
メニューデータ記録位置テーブル９０５が検索された場合は、ディレクトリテーブル取得部２０３はメニューデータ記録位置テーブル９０５の解析をおこなう（Ｆ６０５）。続いて、ディレクトリテーブル取得部２０３はメニューデータ取得部３０３に対してメニューデータ９０７取得を要求する。このときメニューデータ取得部３０３は、ＲＡＭ３０４にメニューデータ９０７が取得されていないと判断すると、メニューデータ取得部３０３はシステム制御部２０３、ピックアップ１０３を介してディスク３０２からメニューデータ９０７を取得する（Ｆ６０６→Ｆ６０７）。その後、ディレクトリテーブル取得部２０３に取得されたメニューデータ記録位置テーブル９０５、メニューデータ取得部３０３に取得されたメニューデータ９０７は、メニューデータ解析部１０７で解析がおこなわれメニューが作成される（Ｆ６０７→Ｆ６０８）。一方、ＲＡＭ３０４にメニューデータ９０７が取得されていると、メニューデータ取得部３０３はＲＡＭ３０４からメニューデータ９０７を取得し、そのままメニューデータ解析部１０７で解析がおこなわれメニューが作成される（Ｆ６０６→Ｆ６０８）。解析を終了した時点で表示出力部１０８はメニュー表示をおこなう（Ｆ６０９）。
【００３３】
一方、取得したディレクトリテーブルが再生データ記録位置テーブル９０６の場合は、ディレクトリテーブル取得部２０３は再生データ記録位置テーブル９０６の解析をおこなう（Ｆ６０４）。こうして、ＲＡＭ３０４に取得されたすべてのディレクトリテーブルの解析をおこなう。ディスク３０２上にまだ取得していないディレクトリテーブルがあれば、再度ピックアップ１０３はディレクトリテーブルをＲＡＭ３０４に取得する（Ｆ６１１→Ｆ６０２）。すべてのディレクトリテーブル９０４の解析が終了したら、ディスク３０２の解析を終了する（Ｆ６１２）。後は、外部キーによってメニューを決定すれば（Ｆ６１３）、再生データ取得部１０９はシステム制御部２０３に再生データ９０８取得を要求し、ピックアップ１０３はディスク３０２から再生データ９０８を取得する（Ｆ６１４）。取得された再生データ９０８は再生データ出力部１１０により音声・映像データとして出力される（Ｆ６１４）。
【００３４】
上記内容を図９を用いて更に詳細に説明する。メニューデータ記録位置テーブル９０５とメニューデータ９０７を１回分の読み込みでＲＡＭ３０４に取得できるとすると、ピックアップ９１０は１回目の読み込みでＡ点からＢ点までの移動してメニューデータ記録位置テーブル９０５、メニューデータ９０７を同時にＲＡＭ３０４に取得する。メニューデータ９０７がディスク３０２の外周に記録されているような場合、メニューデータ記録位置テーブル９０５を解析した後、ピックアップ９１０をメニューデータ９０７を取得するために外周まで移動させねばならないことになり、その移動分だけメニュー表示が遅れることになる。そのため、メニューデータ９０７がメニューデータ記録位置テーブル９０５の近傍に記録されていれば、より早くメニューデータ９０７の取得、解析ができ、より早くメニュー表示をおこなうことが可能であり、起動からメニュー表示までの時間を更に短縮できる。
【００３５】
以上より、実施の形態１と同様に、ディスク３０２の解析が終了していなくても、メニューデータ記録位置テーブル９０５を検出すれば、メニューデータ９０７の取得、解析がおこなわれ直ちにメニュー表示をおこなうので、起動してからメニュー表示までの時間が短縮され、ユーザーはメニューを選択することが可能となる。
【００３６】
なお、実施の形態１から３は、ディスクの再生装置を引用しているが、少なくとも１つ以上の再生データと少なくとも１つ以上のメニューデータが記録されていればどのような記録媒体であってもこれを適用できるため、それらを除外するものではない。
【００３７】
また、実施の形態１から３は、読み取りの手段としてピックアップを用いて説明したが、他の制御手段であってもこれを適用できるため、それらを除外するものではない。
【産業上の利用可能性】
【００３８】
本発明は、ディスクからの再生データを読み取るデータ再生装置として有用であり、特に再生動作手順などの情報をメニューにより管理するディスクに適している。
【図面の簡単な説明】
【００３９】
【図１】実施の形態１におけるディスク再生装置の一例を示すブロック図
【図２】実施の形態２におけるディスク再生装置の一例を示すブロック図
【図３】実施の形態３におけるディスク再生装置の一例を示すブロック図
【図４】実施の形態１におけるディスク再生装置の一例を示すフローチャート
【図５】実施の形態２におけるディスク再生装置の一例を示すフローチャート
【図６】実施の形態３におけるディスク再生装置の一例を示すフローチャート
【図７】データブロックの構成の一例を示す図
【図８】実施の形態２におけるディスク再生装置により再生できるディスクで、メニューデータ記録位置テーブルがディレクトリテーブルの先頭付近に記録されたディスクのフォーマット構成の一例を示す図
【図９】実施の形態３におけるディスク再生装置により再生できるディスクで、メニューデータがメニューデータ記録位置テーブルの近傍に記録されたディスクのフォーマット構成の一例を示す図
【符号の説明】
【００４０】
１０１    ディスク再生装置
１０２    ディスク
１０３    ピックアップ
１０４    システム制御部
１０５    ディレクトリテーブル取得部
１０６    メニューデータ取得部
１０７    メニューデータ解析部
１０８    表示出力部
１０９    再生データ取得部
１１０    再生データ出力部
２０１    ディスク再生装置
２０２    ディスク
２０３    システム制御部
２０４    ディレクトリテーブル取得部
２０５    メニューデータ取得部
２０６    ＲＡＭ
３０１    ディスク再生装置
３０２    ディスク
３０３    メニューデータ取得部
３０４    ＲＡＭ
７０１    リードイン
７０２    ボリューム記述子
７０３    パステーブル
７０４    ディレクトリテーブル
７０５    メニューデータ記録位置テーブル
７０６    再生データ記録位置テーブル
７０７    メニューデータ
７０８    再生データ
７０９    リードアウト
８０１    リードイン
８０２    ボリューム記述子
８０３    パステーブル
８０４    ディレクトリテーブル
８０５    メニューデータ記録位置テーブル
８０６    再生データ記録位置テーブル
８０７    メニューデータ
８０８    再生データ
８０９    リードアウト
８１０    ピックアップ
９０１    リードイン
９０２    ボリューム記述子
９０３    パステーブル
９０４    ディレクトリテーブル
９０５    メニューデータ記録位置テーブル
９０６    再生データ記録位置テーブル
９０７    メニューデータ
９０８    再生データ
９０９    リードアウト
９１０    ピックアップ
【図１】
2009054259.tif 000003
【図２】
2009054259.tif 000004
【図３】
2009054259.tif 000005
【図４】
2009054259.tif 000006
【図５】
2009054259.tif 000007
【図６】
2009054259.tif 000008
【図７】
2009054259.tif 000009
【図８】
2009054259.tif 000010
【図９】
2009054259.tif 000011